(57)【要約】【課題】携帯機を所持する使用者が所定経路を移動し、所定の位置範囲に到達することによって、車両ドアを自動で開扉又は閉扉させることができる車両用通信システムを提供する。【解決手段】車両用通信システムは、位置検出用信号を送信する車載機１と、前記位置検出用信号を受信し、該位置検出用信号に応じた応答信号を送信する携帯機２とを備える。車載機１は、受信した前記応答信号に基づいて、車両Ｃに対する携帯機２の位置及び該位置の変化を特定する特定部と、車両Ｃに対する携帯機２の所定の位置範囲及び位置変化を記憶する記憶部と、前記特定部が特定した位置及び該位置の変化並びに前記記憶部が記憶する前記所定の位置範囲及び位置変化を比較する比較部と、該比較部による比較結果に応じて、車両ドアを自動で開けることを指示する開扉指示信号又は自動で閉めることを指示する閉扉指示信号を出力する出力部とを備える。【選択図】図１
2016169564.tif 000002
【特許請求の範囲】
【請求項１】
位置検出用信号を送信する車載送信部を有する車載機と、前記位置検出用信号を受信し、受信した前記位置検出用信号に応じた応答信号を送信する携帯機とを備え、前記車載機は該携帯機から受信した前記応答信号に基づいて、車両ドアを自動で開けることを指示する開扉指示信号又は自動で閉めることを指示する閉扉指示信号を出力する車両用通信システムであって、
前記車載機は、
受信した前記応答信号に基づいて、前記車両に対する前記携帯機の位置及び該位置の変化を特定する特定部と、
前記車両に対する前記携帯機の所定の位置範囲及び位置変化を記憶する記憶部と、
前記特定部が特定した位置及び該位置の変化と、前記記憶部が記憶する前記所定の位置範囲及び位置変化とを比較する比較部と、
該比較部による比較結果に応じて、前記開扉指示信号又は前記閉扉指示信号を出力する出力部と
を備える車両用通信システム。
【請求項２】
前記出力部は、
前記特定部が特定した位置の変化と、前記記憶部が記憶する前記所定の位置変化とが相似しており、かつ前記特定部が特定した位置が、前記所定の位置範囲に含まれている場合、前記開扉指示信号又は前記閉扉指示信号を出力する
請求項１に記載の車両用通信システム。
【請求項３】
前記出力部は、
前記所定の位置変化に相似する位置の変化の後、所定時間以内に特定された前記携帯機の位置が、前記所定の位置範囲に含まれている場合、前記開扉指示信号又は前記閉扉指示信号を出力する
請求項２に記載の車両用通信システム。
【請求項４】
前記所定の位置変化は、前記携帯機の移動態様が変化する複数の点の位置関係の情報を含む
請求項１〜請求項３のいずれか一つに記載の車両用通信システム。
【請求項５】
前記所定の位置変化は前記携帯機の環状の経路に沿った位置変化を含む
請求項１〜請求項４のいずれか一つに記載の車両用通信システム。
【請求項６】
前記所定の位置変化は前記携帯機の途中で屈曲した経路に沿った位置変化を含む
請求項１〜請求項５のいずれか一つに記載の車両用通信システム。
【請求項７】
前記車載機は、
前記車両に設けられた複数のアンテナから前記位置検出用信号を送信するようにしてあり、
前記携帯機は、
受信した各位置検出用信号の受信信号強度を測定する測定部と、
該測定部が測定した前記受信信号強度を含む前記応答信号を前記車載機へ送信する携帯送信部と
を備え、
前記特定部は、
前記応答信号に含まれる前記受信信号強度に基づいて、前記車載機に対する前記携帯機の位置を検出する位置検出部を備える
請求項１〜請求項６のいずれか一つに記載の車両用通信システム。
【請求項８】
前記車載機は、
前記車両に設けられた複数のアンテナから前記位置検出用信号を送信するようにしてあり、
前記携帯機は、
受信した各位置検出用信号の受信信号強度を測定する測定部と、
該測定部が測定した前記受信信号強度に基づいて、前記車載機に対する前記携帯機の位置を検出する位置検出部と、
該位置検出部が検出した位置を含む前記応答信号を前記車載機へ送信する携帯送信部と
を備え、
前記特定部は、
前記応答信号に含まれる位置を特定する
請求項１〜請求項７のいずれか一つに記載の車両用通信システム。
【請求項９】
位置検出用信号を送信し、該位置検出用信号に応じて携帯機から送信された応答信号を受信した場合、受信した前記応答信号に基づいて、車両ドアを自動で開けることを指示する開扉指示信号又は自動で閉めることを指示する閉扉指示信号を出力する車載機であって、
受信した前記応答信号に基づいて、前記車両に対する前記携帯機の位置及び該位置の変化を特定する特定部と、
前記車両に対する前記携帯機の所定の位置範囲及び位置変化を記憶する記憶部と、
前記特定部が特定した位置及び該位置の変化と、前記記憶部が記憶する前記所定の位置範囲及び位置変化とを比較する比較部と、
該比較部による比較結果に応じて、前記開扉指示信号又は前記閉扉指示信号を出力する出力部と
を備える車載機。
【請求項１０】
コンピュータに、携帯機へ送信された位置検出用信号に応じて該携帯機から送信された応答信号に基づいて、車両ドアを自動で開けることを指示する開扉指示信号又は自動で閉めることを指示する閉扉指示信号を出力させるコンピュータプログラムであって、
コンピュータを、
受信した前記応答信号に基づいて、前記車両に対する前記携帯機の位置及び該位置の変化を特定する特定部と、
前記特定部が特定した位置及び該位置の変化と、所定の位置範囲及び位置変化とを比較する比較部と、
該比較部による比較結果に応じて、前記開扉指示信号又は前記閉扉指示信号を出力する出力部と
して機能させるコンピュータプログラム。
【発明の詳細な説明】
【技術分野】
【０００１】
本発明は、車両ドアを自動で開けることを指示する開扉指示信号又は車両ドアを自動で閉めることを指示する閉扉指示信号を出力する車両用通信システム及び車載機、並びにコンピュータを該車載機として機能させるためのコンピュータプログラムに関する。
【背景技術】
【０００２】
電動スライドドアを備えた車両が実用化されている。特許文献１には、正規の電子キーを所持する使用者によって車両のドアハンドルが引かれたことを検知した場合、電動スライドドアを自動的に開扉する車両スライドドア制御装置が開示されている。また、ドアハンドルに設けられたタッチセンサによって、使用者がドアハンドルに触れたことを検知した場合、電動スライドドアを自動的に開扉する技術が開示されている。
【０００３】
特許文献２には、車両に近づいた使用者が所持する電子キーを認証し、正規の電子キーを所持する使用者が発する特定の言葉を検出した場合、電動スライドドアを自動的に開扉する車両スライドドア制御装置が開示されている。
【先行技術文献】
【特許文献】
【０００４】
【特許文献１】特開２００６−３２８９３２号公報
【特許文献２】特許第４６４９２７３号公報
【発明の概要】
【発明が解決しようとする課題】
【０００５】
しかしながら、特許文献１の車両ドア制御システムにおいては、携帯機を所持している使用者がドアハンドル又はタッチセンサを操作する必要があり、荷物等で両手がふさがっているような場合、電動スライドドアの操作が不便であるという問題があった。
【０００６】
特許文献２の車両用施解錠システムにおいては、使用者の両手がふさがっていても、電動スライドドアを自動開扉させることができるが、車両外部に音声センサを新たに設ける必要があり、高コストになるという問題があった。また、使用者が不本意で前記特定の言葉を発した場合、あるいは周囲の音を前記特定の言葉と誤認識した場合、電動スライドドアが誤って自動開扉してしまうという問題があった。
【０００７】
本願の目的は、音声センサ等の新たな機器を備えない構成であっても、携帯機を所持する使用者が所定経路を移動し、所定の位置範囲に到達することによって、電動スライドドア等の車両ドアを自動で開扉又は閉扉させることができる車両用通信システム及び車載機、並びにコンピュータを該車載機として機能させるためのコンピュータプログラムを提供することにある。
【課題を解決するための手段】
【０００８】
本発明の一態様に係る車両用通信システムは、位置検出用信号を送信する車載送信部を有する車載機と、前記位置検出用信号を受信し、受信した前記位置検出用信号に応じた応答信号を送信する携帯機とを備え、前記車載機は該携帯機から受信した前記応答信号に基づいて、車両ドアを自動で開けることを指示する開扉指示信号又は自動で閉めることを指示する閉扉指示信号を出力する車両用通信システムであって、前記車載機は、受信した前記応答信号に基づいて、前記車両に対する前記携帯機の位置及び該位置の変化を特定する特定部と、前記車両に対する前記携帯機の所定の位置範囲及び位置変化を記憶する記憶部と、前記特定部が特定した位置及び該位置の変化と、前記記憶部が記憶する前記所定の位置範囲及び位置変化とを比較する比較部と、該比較部による比較結果に応じて、前記開扉指示信号又は前記閉扉指示信号を出力する出力部とを備える。
【０００９】
本発明の一態様に係る車載機は、位置検出用信号を送信し、該位置検出用信号に応じて携帯機から送信された応答信号を受信した場合、受信した前記応答信号に基づいて、車両ドアを自動で開けることを指示する開扉指示信号又は自動で閉めることを指示する閉扉指示信号を出力する車載機であって、受信した前記応答信号に基づいて、前記車両に対する前記携帯機の位置及び該位置の変化を特定する特定部と、前記車両に対する前記携帯機の所定の位置範囲及び位置変化を記憶する記憶部と、前記特定部が特定した位置及び該位置の変化と、前記記憶部が記憶する前記所定の位置範囲及び位置変化とを比較する比較部と、該比較部による比較結果に応じて、前記開扉指示信号又は前記閉扉指示信号を出力する出力部とを備える。
【００１０】
本発明の一態様に係るコンピュータプログラムは、コンピュータに、携帯機へ送信された位置検出用信号に応じて該携帯機から送信された応答信号に基づいて、車両ドアを自動で開けることを指示する開扉指示信号又は自動で閉めることを指示する閉扉指示信号を出力させるコンピュータプログラムであって、コンピュータを、受信した前記応答信号に基づいて、前記車両に対する前記携帯機の位置及び該位置の変化を特定する特定部と、前記特定部が特定した位置及び該位置の変化と、所定の位置範囲及び位置変化とを比較する比較部と、該比較部による比較結果に応じて、前記開扉指示信号又は前記閉扉指示信号を出力する出力部として機能させる。
【００１１】
なお、本願は、このような特徴的な処理部を備える車両用通信システム、車載機及び携帯機として実現することができるだけでなく、かかる特徴的な処理をステップとする車両通信方法として実現したり、かかるステップをコンピュータに実行させるためのプログラムとして実現したりすることができる。また、車両用通信システム、車載機及び携帯機の一部又は全部を実現する半導体集積回路として実現したり、車両用通信システム、車載機及び携帯機を含むその他のシステムとして実現したりすることができる。
【発明の効果】
【００１２】
上記によれば、音声センサ等の新たな機器を備えない構成であっても、携帯機を所持する使用者が所定経路を移動し、所定の位置範囲に到達することによって、電動スライドドア等の車両ドアを自動で開扉又は閉扉させることができる車両用通信システム及び車載機を提供することができる。
【図面の簡単な説明】
【００１３】
【図１】実施形態１に係る車両用通信システムの一構成例を示す模式図である。
【図２】車載機の一構成例を示すブロック図である。
【図３】携帯機の一構成例を示すブロック図である。
【図４】所定の位置範囲及び位置変化の一例を示す概念図である。
【図５】所定の位置範囲及び位置変化の他の例を示す概念図である。
【図６】開扉操作のための携帯機の検出に係る処理手順を示すフローチャートである。
【図７】開扉処理に係る処理手順を示すフローチャートである。
【図８】開閉操作のための携帯機の検出に係る処理手順を示すフローチャートである。
【図９】閉扉処理に係る処理手順を示すフローチャートである。
【発明を実施するための形態】
【００１４】
［本発明の実施形態の説明］
最初に本発明の実施態様を列記して説明する。また、以下に記載する実施形態の少なくとも一部を任意に組み合わせてもよい。
【００１５】
（１）本発明の一態様に係る車両用通信システムは、位置検出用信号を送信する車載送信部を有する車載機と、前記位置検出用信号を受信し、受信した前記位置検出用信号に応じた応答信号を送信する携帯機とを備え、前記車載機は該携帯機から受信した前記応答信号に基づいて、車両ドアを自動で開けることを指示する開扉指示信号又は自動で閉めることを指示する閉扉指示信号を出力する車両用通信システムであって、前記車載機は、受信した前記応答信号に基づいて、前記車両に対する前記携帯機の位置及び該位置の変化を特定する特定部と、前記車両に対する前記携帯機の所定の位置範囲及び位置変化を記憶する記憶部と、前記特定部が特定した位置及び該位置の変化と、前記記憶部が記憶する前記所定の位置範囲及び位置変化とを比較する比較部と、該比較部による比較結果に応じて、前記開扉指示信号又は前記閉扉指示信号を出力する出力部とを備える。
【００１６】
本態様によれば、車載機は携帯機の位置を検出するための位置検出用信号を送信する。車載機から送信された位置検出用信号を受信した携帯機は、該位置検出用信号に応じた応答信号を車載機へ送信する。応答信号は、車載機に対する携帯機の位置及び該位置の変化を特定するためのものである。
車載機の特定部は、応答信号を受信し、受信した応答信号に基づいて携帯機の位置と、該位置の変化を特定する。位置検出用信号が送信され、携帯機は該位置検出用信号に応じた応答信号を送信する構成であるため、特定部は携帯機の位置及び該位置の変化を特定することができる。携帯機の位置変化は使用者による車両ドアの開扉操作又は閉扉操作に対応するものである。記憶部は、車両ドアを開扉又は閉扉させる操作条件として、車両に対する携帯機の所定の位置範囲及び位置変化を記憶している。比較部は、応答信号に基づいて特定部が特定した携帯機の位置及び該位置の変化と、記憶部が記憶している前記所定の位置範囲及び位置変化とを比較し、出力部は比較部による比較結果に応じて、車両ドアを自動で開けることを指示する開扉指示信号又は自動で閉めることを指示する閉扉指示信号を出力する。
このように、本態様によれば、音声センサ等の新たな機器を備えない構成であっても、携帯機を所持する使用者が所定経路を移動し、所定の位置範囲に到達することによって、車両ドアを自動で開扉又は閉扉させることができる。
【００１７】
（２）前記出力部は、前記特定部が特定した位置の変化と、前記記憶部が記憶する前記所定の位置変化とが相似しており、かつ前記特定部が特定した位置が、前記所定の位置範囲に含まれている場合、前記開扉指示信号又は前記閉扉指示信号を出力する構成が好ましい。
【００１８】
本態様によれば、携帯機の位置変化と、前記所定の位置変化とが相似し、かつ特定部が特定した携帯機の位置が、前記所定の位置範囲に含まれている場合、出力部は開扉指示信号を出力し、車両ドアを自動で開ける。
同様にして、携帯機の位置変化と、前記所定の位置変化とが相似し、かつ特定部が特定した携帯機の位置が、前記所定の位置範囲に含まれている場合、出力部は閉扉指示信号を出力し、車両ドアを自動で閉めるように構成することもできる。
【００１９】
（３）前記出力部は、前記所定の位置変化に相似する位置の変化の後、所定時間以内に特定された前記携帯機の位置が、前記所定の位置範囲に含まれている場合、前記開扉指示信号又は前記閉扉指示信号を出力する構成が好ましい。
【００２０】
本態様によれば、前記携帯機の位置が、前記所定の位置変化に相似する変化を行った後、所定時間以内に前記所定の位置範囲に含まれた場合、出力部は開扉指示信号又は閉扉指示信号を出力し、車両ドアを自動で開扉又は閉扉させることができる。つまり、携帯機を所持する使用者が所定経路を移動し、その後、所定時間以内に所定の位置範囲に移動することによって、電動スライドドア等の車両ドアを自動で開扉又は閉扉させることができる。
【００２１】
（４）前記所定の位置変化は、前記携帯機の移動態様が変化する複数の点の位置関係の情報を含む構成が好ましい。
【００２２】
本態様によれば、記憶部が記憶する前記所定の位置変化は、携帯機の移動態様が変化する複数の点の位置関係の情報を含む構成である。携帯機の移動態様が複数箇所で変化する経路は、使用者の意に反して携帯機が移動する可能性が低い経路である。従って、使用者の意に反して車両ドアが自動的に開き又は閉じることを効果的に防止することができる。
【００２３】
（５）前記所定の位置変化は前記携帯機の環状の経路に沿った位置変化を含む構成が好ましい。
【００２４】
本態様によれば、記憶部が記憶する前記所定の位置変化は環状の経路に沿った位置変化を含む構成である。環状の経路は、使用者の意に反して携帯機が移動する可能性が低い経路である。従って、使用者の意に反して車両ドアが自動的に開き又は閉じることを効果的に防止することができる。
【００２５】
（６）前記所定の位置変化は前記携帯機の途中で屈曲した経路に沿った位置変化を含む構成が好ましい。
【００２６】
本態様によれば、記憶部が記憶する前記所定の位置変化は途中で屈曲した経路に沿った位置変化を含む構成である。途中で屈曲した経路は、使用者の意に反して携帯機が移動する可能性が低い経路である。従って、使用者の意に反して車両ドアが自動的に開き又は閉じることを効果的に防止することができる。
【００２７】
（７）前記車載機は、前記車両に設けられた複数のアンテナから前記位置検出用信号を送信するようにしてあり、前記携帯機は、受信した各位置検出用信号の受信信号強度を測定する測定部と、該測定部が測定した前記受信信号強度を含む前記応答信号を前記車載機へ送信する携帯送信部とを備え、前記特定部は、前記応答信号に含まれる前記受信信号強度に基づいて、前記車載機に対する前記携帯機の位置を検出する位置検出部を備える構成が好ましい。
【００２８】
本態様によれば、車載機は車両に設けられた複数のアンテナから位置検出用信号を送信する。携帯機は各アンテナから送信された位置検出用信号の受信信号強度を測定部にて測定し、携帯機送信部は測定された受信信号強度を含む応答信号を車載機へ送信する。複数のアンテナから送信された位置検出用信号の携帯機における受信信号強度は、車載機に対する携帯機の位置を２次元的又は３次元的に検出するためのものである。特定部は、応答信号に含まれる受信信号強度に基づいて、車載機に対する携帯機の位置を位置検出部にて検出し、携帯機の位置変化を２次元的又は３次元的に特定する。
従って、所定経路で２次元的又は３次元的に携帯機を移動させることにより、車両ドアの開扉又は閉扉を操作することができる。
【００２９】
（８）前記車載機は、前記車両に設けられた複数のアンテナから前記位置検出用信号を送信するようにしてあり、前記携帯機は、受信した各位置検出用信号の受信信号強度を測定する測定部と、該測定部が測定した前記受信信号強度に基づいて、前記車載機に対する前記携帯機の位置を検出する位置検出部と、該位置検出部が検出した位置を含む前記応答信号を前記車載機へ送信する携帯送信部とを備え、前記特定部は、前記応答信号に含まれる位置を特定する構成が好ましい。
【００３０】
本態様によれば、車載機は車両に設けられた複数のアンテナから位置検出用信号を送信する。携帯機は各アンテナから送信された位置検出用信号の受信信号強度を測定部にて測定し、位置検出部は測定された受信信号強度に基づいて、車載機に対する携帯機の位置を検出する。複数のアンテナから送信された位置検出用信号の携帯機における受信信号強度は、車載機に対する携帯機の位置を２次元的又は３次元的に検出するためのものである。そして、携帯機は検出された位置を含む応答信号を車載機へ送信する。特定部は、応答信号に基づいて携帯機の位置及び該位置の変化を２次元的又は３次元的に特定する。
従って、所定経路で２次元的又は３次元的に携帯機を移動させることにより、車両ドアの開扉又は閉扉を操作することができる。
【００３１】
（９）本発明の一態様に係る車載機は、位置検出用信号を送信し、該位置検出用信号に応じて携帯機から送信された応答信号を受信した場合、受信した前記応答信号に基づいて、車両ドアを自動で開けることを指示する開扉指示信号又は自動で閉めることを指示する閉扉指示信号を出力する車載機であって、受信した前記応答信号に基づいて、前記車両に対する前記携帯機の位置及び該位置の変化を特定する特定部と、前記車両に対する前記携帯機の所定の位置範囲及び位置変化を記憶する記憶部と、前記特定部が特定した位置及び該位置の変化と、前記記憶部が記憶する前記所定の位置範囲及び位置変化とを比較する比較部と、該比較部による比較結果に応じて、前記開扉指示信号又は前記閉扉指示信号を出力する出力部とを備える。
【００３２】
本態様によれば、態様（１）と同様、音声センサ等の新たな機器を備えない構成であっても、携帯機を所持する使用者が所定経路を移動し、所定の位置範囲に到達することによって、車両ドアを自動で開扉又は閉扉させることができる。
【００３３】
（１０）本発明の一態様に係るコンピュータプログラムは、コンピュータに、携帯機へ送信された位置検出用信号に応じて該携帯機から送信された応答信号に基づいて、車両ドアを自動で開けることを指示する開扉指示信号又は自動で閉めることを指示する閉扉指示信号を出力させるコンピュータプログラムであって、コンピュータを、受信した前記応答信号に基づいて、前記車両に対する前記携帯機の位置及び該位置の変化を特定する特定部と、前記特定部が特定した位置及び該位置の変化と、所定の位置範囲及び位置変化とを比較する比較部と、該比較部による比較結果に応じて、前記開扉指示信号又は前記閉扉指示信号を出力する出力部として機能させる。
【００３４】
本態様によれば、コンピュータを態様（９）に記載の車載機として機能させることがでる。
【００３５】
［本発明の実施形態の詳細］
本発明の実施形態に係る車両用通信システム、車載機及びコンピュータプログラムの具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
【００３６】
（実施形態１）
図１は実施形態１に係る車両用通信システムの一構成例を示す模式図である。本実施形態１に係る車両用通信システムは、車両Ｃに設けられた複数のＬＦ送信アンテナ３及びＲＦ受信アンテナ４を用いて各種信号を送受信する車載機１と、該車載機１との間で該信号を送受信する携帯機２とを備える。車載機１は、携帯機２の位置及び該位置の変化を特定し、携帯機２の位置及び該位置変化が所定の位置範囲及び位置変化と一致した場合に、自動スライドドアＤを自動で開く。
複数のＬＦ送信アンテナ３は、例えば、運転席側のピラーに配された第１ＬＦ送信アンテナ３１、助手席側のピラーに配された第２ＬＦ送信アンテナ３２、車両Ｃの後部に配された第３ＬＦ送信アンテナ３３及び前部に配された第４ＬＦ送信アンテナ３４等である。各ＬＦ送信アンテナ３はＬＦ帯の電波を用いて信号を送信する。
【００３７】
図２は車載機１の一構成例を示すブロック図である。車載機１は、例えば一又は複数のＣＰＵ（Central Processing Unit）、マルチコアＣＰＵ、ＲＯＭ（Read Only Memory）、ＲＡＭ（Random Access Memory）、入出力インタフェース、計時部１１ａ等を有するコンピュータである。車載制御部１１のＣＰＵは入出力インタフェースを介して車載受信部１２、車載送信部１３、記憶部１４及び出力部１５に接続している。車載制御部１１は記憶部１４に記憶されている後述のコンピュータプログラム８０を実行することにより、各構成部の動作を制御し、携帯機２の位置変化を特定し、自動スライドドアＤを自動で開けることを指示する。
【００３８】
記憶部１４は、ＥＥＰＲＯＭ（Electrically Erasable Programmable ROM）、フラッシュメモリ等の不揮発性メモリである。記憶部１４は、車載制御部１１が車載機１の各構成部の動作を制御することにより、携帯機２の位置変化を特定し、自動スライドドアＤを自動で開けることを指示するためのコンピュータプログラム８０を記憶している。また、記憶部１４は、車載機１に対する携帯機２の所定の位置範囲及び位置変化を記憶する。前記所定の位置範囲及び位置変化は、自動スライドドアＤを自動で開けるための操作条件に相当するものである。本実施形態１では記憶部１４が前記所定の位置範囲及び位置変化を予め記憶している例を説明するが、使用者が任意の所定の位置範囲及び位置変化を記憶部１４に記憶させるように構成でも良い。前記所定の位置範囲及び位置変化の詳細は後述する。なお、図２では車載制御部１１及び記憶部１４を別体の構成部として図示しているが、車載制御部１１の内部に記憶部１４を備えても良い。
【００３９】
本実施形態１に係るコンピュータプログラム８０は、記録媒体８にコンピュータ読み取り可能に記録されている態様でも良い。記憶部１４は、図示しない読出装置によって記録媒体８から読み出されたコンピュータプログラム８０を記憶する。記録媒体８はＣＤ（Compact Disc）−ＲＯＭ、ＤＶＤ（Digital Versatile Disc）−ＲＯＭ、ＢＤ（Blu-ray：登録商標 Disc）等の光ディスク、フレキシブルディスク、ハードディスク等の磁気ディスク、磁気光ディスク、半導体メモリ等である。また、図示しない通信網に接続されている図示しない外部コンピュータから本実施形態１に係るコンピュータプログラム８０をダウンロードし、記憶部１４に記憶させても良い。
【００４０】
車載受信部１２はＲＦ受信アンテナ４に接続されており、携帯機２からＵＨＦ帯の電波を用いて送信された各種応答信号を受信し、車載制御部１１へ出力する。ＵＨＦ帯の電波で通信可能な領域は広いため、車両ＣにおけるＲＦ受信アンテナ４の配置は特に限定されない。
【００４１】
車載送信部１３は複数のＬＦ送信アンテナ３に接続されており、車載制御部１１の制御に従って、携帯機２の位置変化を特定するための信号を送信する。例えば、車載送信部１３は、車載制御部１１の制御に従って、自動スライドドアＤの開扉に係る処理を開始させるための処理開始信号を送信する。また、車載送信部１３は、車載制御部１１の制御に従って、携帯機２の位置を検出するための位置検出信号を送信する。各ＬＦ送信アンテナ３から送信される信号の強度は、携帯機２が２つ以上のＬＦ送信アンテナ３からの信号を受信できるように設定されている。
【００４２】
出力部１５にはドアＥＣＵ６が接続されており、出力部１５は、車載制御部１１の制御に従って、自動スライドドアＤを自動で開けることを指示する開扉指示信号又は自動スライドドアＤを自動で閉めることを指示する閉扉指示信号をドアＥＣＵ６へ出力する。ドアＥＣＵ６は、車載機１の出力部１５から出力された開扉指示信号に従って、スライドドア駆動部６１を駆動させ、自動スライドドアＤを開扉させる。同様にして、ドアＥＣＵ６は、車載機１の出力部１５から出力された閉扉指示信号に従って、スライドドア駆動部６１を駆動させ、自動スライドドアＤを閉扉させる。自動スライドドアＤは、スライドドア部と、該スライドドア部を開扉方向又は閉扉方向へ移動させるスライド機構とを備えており、スライドドア駆動部６１は、該スライド機構を駆動させるモータ等の動力源を備える。スライドドア駆動部６１は該モータによって前記スライド機構を駆動させ、前記スライドドア部を開扉方向又は閉扉方向へ移動させる。
【００４３】
車載制御部１１には、スライドドアスイッチ５が接続されており、該スライドドアスイッチ５の操作状態に対応したドア信号が車載制御部１１に入力する。車載制御部１１はスライドドアスイッチ５のドア信号に基づいて、スライドドアスイッチ５の操作状態を認識することができる。車載制御部１１には、スライドドアスイッチ５が操作された場合、開扉指示信号又は閉扉指示信号を出力部１５にてドアＥＣＵ６へ出力し、自動スライドドアＤを開扉又は閉扉させる。
また、車載制御部１１には、自動スライドドアＤの開閉状態を検出するための開閉検出スイッチ７が接続されている。開閉検出スイッチ７は、自動スライドドアＤの開閉に応じてオンオフする開閉信号が車載制御部１１に入力する。車載制御部１１は、入力した開閉信号に基づいて、自動スライドドアＤの開閉状態を認識することができる。
【００４４】
図３は携帯機２の一構成例を示すブロック図である。携帯機２は、該携帯機２の各構成部の動作を制御する携帯制御部２１を備える。携帯制御部２１は、例えば一又は複数のＣＰＵ、マルチコアＣＰＵ等を有するマイコンである。携帯制御部２１には、携帯受信部２２、携帯送信部２３、記憶部２４及び受信信号強度測定部２５が設けられている。
【００４５】
携帯制御部２１は、記憶部２４に記憶されている後述の制御プログラムを読み出し、各構成部の動作を制御することにより、車載機１に対する携帯機２の位置変化の特定に必要な情報を車載機１へ送信する送信する処理を実行する。
【００４６】
記憶部２４は、記憶部１４と同様の不揮発性メモリである。記憶部２４は、携帯制御部２１が携帯機２の各構成部の動作を制御することにより、携帯機２の位置変化特定するための情報を含む応答信号等を車載機１へ送信する処理を実行するための制御プログラムを記憶している。
【００４７】
携帯受信部２２はＬＦ受信アンテナ２２ａに接続されており、車載機１からＬＦ帯の電波を用いて送信された処理開始信号、位置検出用信号等の各種信号を受信し、携帯制御部２１へ出力する。ＬＦ受信アンテナ２２ａは例えば３軸アンテナであり、車両Ｃに対する携帯機２の向き又は姿勢に拘わらず、一定の受信信号強度が得られる。
【００４８】
受信信号強度測定部２５は、複数のＬＦ送信アンテナ３から送信され、ＬＦ受信アンテナ２２ａが受信した各位置検出用信号の受信信号強度を検出し、検出した受信信号強度を携帯制御部２１へ出力する回路である。
【００４９】
携帯送信部２３はＲＦ送信アンテナ２３ａに接続されており、携帯制御部２１の制御に従って、携帯機２から送信された信号に応じた信号を送信する。具体的には、自動スライドドアＤの開扉に係る処理を開始させるための処理開始信号を携帯機２が受信した場合、携帯制御部２１の制御に従って携帯送信部２３は、所定の返信信号を送信する。また、位置検出信号を携帯機２が受信した場合、携帯制御部２１の制御に従って携帯送信部２３は、車載機１に対する携帯機２の位置及び該位置の変化を特定するための情報として、受信信号強度測定部２５が測定した受信信号強度を含む応答信号を送信する。携帯送信部２３はＵＨＦ帯の電波を用いて応答信号を送信する。なおＵＨＦ帯は信号を送信する電波帯域の一例であり、必ずしもこれに限定されない。
【００５０】
図４は所定の位置範囲及び位置変化の一例を示す概念図である。記憶部１４が記憶する所定の位置範囲は、自動スライドドアＤの近傍の位置範囲Ｒ、例えば、自動スライドドアＤから所定距離の範囲である。記憶部１４が記憶する所定の位置変化は、例えば、環状の経路に沿った位置変化Ｐ１であり、携帯機２の移動態様が変化する複数の点Ｐ１１，Ｐ１２，Ｐ３，Ｐ１４の位置関係の情報を含む。移動態様が変化する点Ｐ１１，Ｐ１４は、携帯機が移動を開始した点、移動を終えた点であり、点Ｐ１２，Ｐ１３は移動方向が変化した点である。より具体的には、位置変化Ｐ１は、例えば水平面における略三角形ないし略台形の経路である。なお、三角形の経路は一例であり、円環状、四角形状、その他の多角形の経路であっても良いし、曲線の閉経路であっても良い。また、経路は水平面における２次元経路である必要は無く、鉛直面における経路であっても良いし、水平面に対して交差する平面における経路であっても良いし、非平面的な３次元的の閉経路であっても良い。なお、環状の経路は、完全に閉じた環である必要は無く、環状の経路には、始点と、終点とが開いた略Ｃ字の経路も含まれる。
【００５１】
図５は所定の位置範囲及び位置変化の他の例を示す概念図である。記憶部１４が記憶する所定の位置変化は、例えば、途中で屈曲した経路に沿った位置変化Ｐ２であり、携帯機２の移動態様が変化する複数の点Ｐ２１，Ｐ２２，Ｐ２３，Ｐ２４の位置関係の情報を含む。より具体的には、位置変化Ｐ２は、例えば水平面における第１の直線経路と、該直線経路から屈曲した第２直線経路と、更に屈曲した第３の直線経路とを有する経路である。なお、図５に示した位置変化Ｐ２の経路は一例であり、２つ又は４つ以上の箇所で屈曲するような経路であっても良いし、曲線経路でも良い。また、位置変化Ｐ１と同様、位置変化Ｐ２も水平面における２次元経路である必要は無く、鉛直面における経路であっても良いし、水平面に対して交差する平面における経路であっても良いし、非平面的な経路であっても良い。
【００５２】
図６は開扉操作のための携帯機２の検出に係る処理手順を示すフローチャートである。
車載制御部１１は、自動スライドドアＤの開扉に係る処理を開始させるための処理開始信号を車載送信部１３にてＬＦ送信アンテナ３から送信させる（ステップＳ１）。処理開始信号の送信は所定の周期で行われる。携帯機２は定期的に起動して、車載機１から送信された信号を受信するようにしている。処理開始信号の到達範囲内に携帯機２が存在し、携帯機２が起動している期間に処理開始信号が車載機１から送信された場合、携帯機２は処理開始信号を受信し、受信した処理開始信号に応じた所定の返信信号をＵＨＦ帯の電波にて車載機１へ送信する。
【００５３】
次いで、車載制御部１１は、車載受信部１２が携帯機２から送信された所定の返信信号を受信したか否かを判定する（ステップＳ２）。所定の返信信号を受信していないと判定した場合（ステップＳ２：ＮＯ）、車載制御部１１は処理をステップＳ１へ戻す。
【００５４】
所定の返信信号を受信したと判定した場合（ステップＳ２：ＹＥＳ）、車載制御部１１は、開閉検出スイッチ７からの開閉信号に基づいて、自動スライドドアＤが閉扉状態であるか否かを判定する（ステップＳ３）。自動スライドドアＤが開扉状態にあると判定した場合（ステップＳ３：ＮＯ）、車載制御部１１は処理をステップＳ１へ戻す。自動スライドドアＤが閉扉状態にあると判定した場合（ステップＳ３：ＹＥＳ）、車載制御部１１は、自動スライドドアＤの開扉処理を実行する（ステップＳ４）。車載制御部１１は、携帯機の位置変化によって自動スライドドアＤの開扉操作が検出された場合、自動スライドドアＤを自動で開けることを指示する開扉指示信号を、出力部１５を介してドアＥＣＵ６へ出力する処理を実行する。自動スライドドアＤの開扉処理を終えた車載制御部１１は、処理をステップＳ１へ戻す。
【００５５】
次に、ステップＳ４で実行する開扉処理の詳細を説明する。
図７は開扉処理に係る処理手順を示すフローチャートである。車載制御部１１は、位置検出用信号を車載送信部１３にて第１乃至第４ＬＦ送信アンテナ３１、３２、３３、３４から順次送信させる（ステップＳ１１）。各第１乃至第４ＬＦ送信アンテナ３１、３２、３３、３４から送信される位置検出用信号の強度は略同一である。車載送信部１３は、第１ＬＦ送信アンテナ３１から位置検出用信号を送信し、次いで第２ＬＦ送信アンテナ３２から該位置検出用信号と同強度の位置検出用信号を送信する。以下同様にして、車載送信部１３は、第３ＬＦ送信アンテナ３３から位置検出用信号を送信し、次いで、第４ＬＦ送信アンテナ３４から位置検出用信号を送信する。
【００５６】
携帯機２は、第１乃至第４ＬＦ送信アンテナ３１、３２、３３、３４からそれぞれ送信された位置検出用信号の受信信号強度を受信信号強度測定部２５にて測定し、測定して得た受信信号強度を含む応答信号を携帯送信部２３にて車載機１へ送信する。
【００５７】
車載制御部１１は、位置検出用信号に対する携帯機２からの応答信号を所定の期間内に車載受信部１２が受信したか否かを判定する（ステップＳ１２）。応答信号を受信していないと判定した場合（ステップＳ１２：ＮＯ）、車載制御部１１は、位置検出用信号の送信に対する応答信号の受信に所定回数失敗したか否かを判定する（ステップＳ１３）。所定回数失敗したと判定した場合（ステップＳ１３：ＹＥＳ）、車載制御部１１は処理を終える。例えば、携帯機２が車両Ｃから離れてしまった等の理由で、応答信号の受信に所定回数以上失敗したような場合、車載制御部１１は開扉処理を終える。受信失敗回数が所定回数未満であると判定した場合（ステップＳ１３：ＮＯ）、車載制御部１１は処理をステップＳ１１へ戻す。
【００５８】
応答信号を受信したと判定した場合（ステップＳ１２：ＹＥＳ）、車載制御部１１は応答信号に含まれる受信信号強度に基づいて、車両Ｃに対する携帯機２の位置を検出し、検出した位置及び位置検出を行った時点を対応付けて記憶する（ステップＳ１４）。位置検出を行った時点は計時部１１ａによって計時することができる。各ＬＦ送信アンテナ３から送信された信号の受信信号強度は、携帯機２と、対応するＬＦ送信アンテナ３との距離に対応するため、受信信号強度を用いて、携帯機２と、各ＬＦ送信アンテナ３との位置関係を特定、つまり、携帯機２の位置を検出することができる。つまり、ステップＳ１４の処理によって、車載制御部１１は、携帯機２の位置変化の履歴を記憶する。第１ＬＦ送信アンテナ３１から送信された位置検出用信号の受信信号強度によって、第１ＬＦ送信アンテナ３１と、携帯機２との距離を推定することができる。同様にして、第２乃至第４ＬＦ送信アンテナ３２，３３，３４からそれぞれ送信された各位置検出用信号の受信信号強度によって、第２乃至第４ＬＦ送信アンテナ３４と、携帯機２との位置関係を推定することができる。本実施形態１では４本の第１乃至第４ＬＦ送信アンテナ３１、３２、３３、３４からの位置検出用信号の受信信号強度を用いることによって、車両Ｃに対する携帯機２の位置を３次元的に検出することができる。
【００５９】
次いで、車載制御部１１は、記憶した携帯機２の位置の履歴に基づいて、携帯機２の位置変化を特定する（ステップＳ１５）。携帯機２の位置は、数百ミリ秒という高周期で送信される位置検出用信号によって検出されるため、携帯機２の位置ないし位置変化を詳細に特定することができる。なお、ステップＳ１５における携帯機２の位置変化の特定は、携帯機２の位置の履歴がある程度蓄積されてから行うと良い。
【００６０】
次いで、車載制御部１１は、ステップＳ１５で特定した位置変化と、記憶部１４が記憶している所定の位置変化とを比較し（ステップＳ１６）、位置変化が相似しているか否かを判定する（ステップＳ１７）。なお、携帯機２が位置検出を開始してからの全経路の位置変化と、所定の位置変化とが相似している必要は無く、携帯機２の位置変化の途中に、該所定の位置変化に相似する位置変化が含まれていれば良い。位置変化が相似していないと判定した場合（ステップＳ１７：ＮＯ）、車載制御部１１は、処理をステップＳ１１へ戻す。位置変化が相似していると判定した場合（ステップＳ１７：ＹＥＳ）、車載制御部１１は、所定の位置変化に相似する位置の変化の後、所定時間以内に特定された携帯機２の位置が、所定の位置範囲に含まれているか否かを判定する（ステップＳ１８）。携帯機２の位置が所定の位置範囲に含まれていないと判定された場合（ステップＳ１８：ＮＯ）、車載制御部１１は、処理をステップＳ１１へ戻す。携帯機２の位置が所定の位置範囲に含まれていると判定した場合（ステップＳ１８：ＹＥＳ）、車載制御部１１は、自動スライドドアＤを自動で開けることを指示する開扉指示信号を出力部１５にてドアＥＣＵ６へ出力し（ステップＳ１９）、処理を終える。
【００６１】
なお、図７の例では、開扉指示信号が出力されるか、応答信号が所定回数以上検出されなくなるまで、上述の処理を継続する例を説明したが、所定の条件で、開扉処理を一旦終了させるように構成しても良い。例えば、携帯機２の位置が一定時間変化しなかった場合、携帯機２が所定速度以上で移動したような場合、開扉処理を一旦終了し、再度、ステップＳ４の処理を実行するようにしても良い。
【００６２】
本実施形態１によれば、車載機１は、使用者が所持する携帯機２の位置変化が、記憶部１４の記憶する所定の位置変化に相似し、その後の携帯機２の位置が記憶部１４の記憶する所定範囲に含まれている場合、自動スライドドアＤは自動で開扉させる。従って、音声センサ等の新たな機器を備えない構成であっても、携帯機２を所持する使用者が所定経路を移動し、所定の位置範囲に到達することによって、自動スライドドアＤを自動で開扉させることができる。
【００６３】
また、車載機１は、使用者が所持する携帯機２の位置が所定の位置変化に相似する経路で変化し、その後所定時間内に携帯機２の位置が所定範囲に含まれている場合、自動スライドドアＤは自動で開扉させる。従って、使用者が、図５に示すように、所定の位置変化に相似する経路で移動しながら車両Ｃに近づき、所定の位置範囲まで移動した時点で開扉操作が既に完了しており、速やかに自動スライドドアＤを開扉させることができる。つまり、使用者は、自動スライドドアＤの近傍まで移動し、その場所で携帯機２を所定経路に沿って移動させる必要は無く、より効率的に自動スライドドアＤを開扉させることができる。
【００６４】
また、複数のＬＦ送信アンテナ３から送信された位置検出用信号を用いて、携帯機２の位置変化を特定する構成であるため、所定経路で２次元的又は３次元的に携帯機２を移動させることにより、自動スライドドアＤが自動的に開扉させることができる。
【００６５】
更に、記憶部１４が記憶する位置変化は、携帯機２の移動態様が変化する複数の点の位置関係の情報を含む情報であり、特に位置変化Ｐ１は環状の経路、位置変化Ｐ２は途中で屈曲した経路である。これらの位置変化Ｐ１，Ｐ２は使用者の意に反して携帯機２が移動する可能性が低い経路である。従って、使用者の意に反して自動スライドドアＤが自動的に開扉することを効果的に防止することができる。
【００６６】
（変形例１）
なお、本実施形態１では、受信信号強度に基づいて、携帯機２の位置を車載機１側で検出する処理を説明したが、携帯機２が車載機１に対する自身の位置を検出し、検出して得た位置情報を含む応答信号を携帯送信部２３にて車載機１へ送信するように構成しても良い。車載機１は、携帯機２から送信された応答信号に含まれる位置情報を記憶し、記憶した位置情報に基づいて携帯機２の位置及び該位置の変化を特定する。
【００６７】
変形例１においても実施形態１と同様、音声センサ等の新たな機器を備えない構成であっても、携帯機２を所持する使用者が所定経路を移動し、所定の位置範囲に到達することによって、自動スライドドアＤを自動で開扉させることができる。
【００６８】
（実施形態２）
本実施形態２に係る車両用通信システムは、実施形態１と同様の機能に加えて、所定経路で携帯機２を移動させることにより、自動スライドドアＤを閉扉させる機能を有するものである。実施形態２に係る記憶部１４は、車載制御部１１が車載機１の各構成部の動作を制御することにより、携帯機２の位置変化を特定し、自動スライドドアＤを自動で開けることを指示し、また自動で閉めることを指示するためのコンピュータプログラムを記憶している。また、記憶部１４は、開扉用の所定の位置変化及び位置範囲に加えて、自動スライドドアＤを自動で閉めるための操作条件に相当する閉扉用の所定の位置変化及び位置範囲を記憶する。実施形態２に係る車両用通信システムは、車載制御部１１の処理手順が実施形態１と異なるため、以下、主にかかる相違点を説明する。その他の構成及び作用効果は実施形態１と同様であるため、対応する箇所には同様の符号を付して詳細な説明を省略する。
【００６９】
図８は開閉操作のための携帯機２の検出に係る処理手順を示すフローチャートである。車載制御部１１は、自動スライドドアＤの開扉に係る処理を開始させるための処理開始信号を車載送信部１３にてＬＦ送信アンテナ３から送信させる（ステップＳ２０１）。
【００７０】
次いで、車載制御部１１は、車載受信部１２が携帯機２から送信された所定の返信信号を受信したか否かを判定する（ステップＳ２０２）。所定の返信信号を受信していないと判定した場合（ステップＳ２０２：ＮＯ）、車載制御部１１は処理をステップＳ２０１へ戻す。
【００７１】
所定の返信信号を受信したと判定した場合（ステップＳ２０２：ＹＥＳ）、車載制御部１１は、開閉検出スイッチ７からの開閉信号に基づいて、自動スライドドアＤが閉扉状態であるか否かを判定する（ステップＳ２０３）。自動スライドドアＤが閉扉状態にあると判定した場合（ステップＳ２０３：ＹＥＳ）、車載制御部１１は、自動スライドドアＤの開扉処理を実行する（ステップＳ２０４）。開扉処理の内容は実施形態１と同様である。自動スライドドアＤが開扉状態にあると判定した場合（ステップＳ２０３：ＮＯ）、自動スライドドアＤの閉扉処理を実行する（ステップＳ２０５）。車載制御部１１は、携帯機の位置変化によって自動スライドドアＤの閉扉操作が検出された場合、自動スライドドアＤを自動で閉めることを指示する閉扉指示信号を出力部１５を介してドアＥＣＵ６へ出力する処理を実行する。
【００７２】
ステップＳ２０４又はステップＳ２０５の処理を終えた車載制御部１１は、処理をステップＳ２０１へ戻す。
【００７３】
次に、ステップＳ２０５で実行する閉扉処理を説明する。
図９は閉扉処理に係る処理手順を示すフローチャートである。車載制御部１１は、実施形態１のステップＳ１１〜１５と同様の処理、ステップＳ２１１〜２１５で実行する。つまり、車載制御部１１は、位置検出用信号を車載送信部１３にて送信し、携帯機２からの応答信号に基づいて車載機１に対する携帯機２の位置を検出し、携帯機２の位置変化を特定する処理を実行する。
【００７４】
次いで、車載制御部１１は、ステップＳ２１５で特定した位置変化と、記憶部１４が記憶している閉扉用の所定の位置変化とを比較し（ステップＳ２１６）、位置変化が相似しているか否かを判定する（ステップＳ２１７）。位置変化が相似していないと判定した場合（ステップＳ２１７：ＮＯ）、車載制御部１１は、処理をステップＳ２１１へ戻す。位置変化が相似していると判定した場合（ステップＳ２１７：ＹＥＳ）、車載制御部１１は、所定の位置変化に相似する位置の変化の後、所定時間以内に特定された携帯機２の位置が、所定の位置範囲に含まれているか否かを判定する（ステップＳ２１８）。携帯機２の位置が所定の位置範囲に含まれていないと判定された場合（ステップＳ２１８：ＮＯ）、車載制御部１１は、処理をステップＳ２１１へ戻す。携帯機２の位置が所定の位置範囲に含まれていると判定した場合（ステップＳ２１８：ＹＥＳ）、自動スライドドアＤを自動で閉じることを指示する閉扉指示信号を出力部１５を介してドアＥＣＵ６へ出力し（ステップＳ２１９）、処理を終える。
【００７５】
本実施形態２によれば、音声センサ等の新たな機器を備えない構成であっても、携帯機２を所持する使用者が所定経路を移動し、所定の位置範囲に到達することによって、自動スライドドアＤを自動で開扉及び閉扉させることができる。
その他の作用効果も実施形態１と同様である。
【００７６】
（変形例２）
なお、本実施形態２では、受信信号強度に基づいて、携帯機２の位置を車載機１側で検出する処理を説明したが、携帯機２が車載機１に対する自身の位置を検出し、検出して得た位置情報を含む応答信号を携帯送信部２３にて車載機１へ送信するように構成しても良い。車載機１は、携帯機２から送信された応答信号に含まれる位置情報を記憶し、記憶した位置情報に基づいて携帯機２の位置変化を特定する。
【００７７】
変形例２においても実施形態２と同様、音声センサ等の新たな機器を備えない構成であっても、携帯機２を所持する使用者が所定経路を移動し、所定の位置範囲に到達することによって、自動スライドドアＤを自動で開扉及び閉扉させることができる。
【００７８】
なお、本実施形態２及び変形例２では自動スライドドアＤを携帯機２の移動によって、開扉又は閉扉する例を説明したが、携帯機２の移動によって、自動スライドドアＤを閉扉させる機能のみを備えるように構成しても良い。
【００７９】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００８０】
１  車載機
２  携帯機
３  ＬＦ送信アンテナ
４  ＲＦ受信アンテナ
５  スライドドアスイッチ
６  ドアＥＣＵ
７  開閉検出スイッチ
８  記録媒体
１１  車載制御部
１１ａ  計時部
１２  車載受信部
１３  車載送信部
１４  記憶部
１５  出力部
２１  携帯制御部
２２  携帯受信部
２２ａ  ＬＦ受信アンテナ
２３  携帯送信部
２３ａ  ＲＦ送信アンテナ
２４  記憶部
２５  受信信号強度測定部
３１  第１ＬＦ送信アンテナ
３２  第２ＬＦ送信アンテナ
３３  第３ＬＦ送信アンテナ
３４  第４ＬＦ送信アンテナ
６１  スライドドア駆動部
８０  コンピュータプログラム
Ｃ  車両
Ｄ  自動スライドドア
【図１】
2016169564.tif 000003
【図２】
2016169564.tif 000004
【図３】
2016169564.tif 000005
【図４】
2016169564.tif 000006
【図５】
2016169564.tif 000007
【図６】
2016169564.tif 000008
【図７】
2016169564.tif 000009
【図８】
2016169564.tif 000010
【図９】
2016169564.tif 000011